(57)【要約】【課題】信号処理装置で異常が検出された際に切り替えに要する時間を短縮することができる送信システムを提供することである。【解決手段】実施形態の送信システムは、直列に接続された複数の信号処理装置を持つ。信号処理装置は、複数の信号処理部と、切替部とを持つ。複数の信号処理部は、前段の装置からの入力信号に異常信号が含まれる場合と入力信号に異常信号が含まれず且つ信号処理結果の出力信号が基準を満たす場合とにおいて出力信号を出力し、入力信号に異常信号が含まれず且つ出力信号が基準を満たさない場合とにおいて出力信号に異常を示す異常信号を含めて出力する。切替部は、複数の信号処理部からの出力信号うち後段の装置へ出力している出力信号が基準を満たさず且つ前段の装置からの入力信号に異常信号が含まれていない場合には後段の装置へ出力する信号を他の出力信号に切り替える。【選択図】図１
2017147503.tif 000002
【特許請求の範囲】
【請求項１】
直列に接続された複数の信号処理装置を備える送信システムであって、
前記信号処理装置は、
前段の前記信号処理装置からの入力信号に対して信号処理を行うことで出力信号を生成し、前段の前記信号処理装置における基準を満たしていないことを示す異常信号が前記入力信号に含まれる場合と前記異常信号が前記入力信号に含まれず且つ前記出力信号が自装置における基準を満たす場合とにおいて前記出力信号を出力し、前記異常信号が前記入力信号に含まれず且つ前記出力信号が基準を満たさない場合において前記出力信号に異常を示す異常信号を含めて出力する複数の信号処理部と、
前記複数の信号処理部から出力される複数の前記出力信号を入力し、複数の前記出力信号のうち後段の前記信号処理装置へ出力している前記出力信号が基準を満たさず且つ前段の前記信号処理装置から出力される信号に前記異常信号が含まれていない場合には後段の前記信号処理装置へ出力する信号を他の前記出力信号に切り替える切替部と、
を備える、
送信システム。
【請求項２】
送信対象の信号を所定の規格に準じた第１の変調信号に変調し、前記第１の変調信号が所定の第１の基準を満たしているか否かを判定し、前記第１の変調信号が前記第１の基準を満たしている場合には前記第１の変調信号を出力し、前記第１の変調信号が前記第１の基準を満たしていない場合には異常を検出したことを示す異常信号を前記第１の変調信号に含めて出力する第１の変調・励振部と、
前記信号を前記規格に準じた第２の変調信号に変調し、前記第２の変調信号が前記第１の基準を満たしているか否かを判定し、前記第２の変調信号が前記第１の基準を満たしている場合には前記第２の変調信号を出力し、前記第２の変調信号が前記第１の基準を満たしていない場合には前記異常信号を前記第２の変調信号に含めて出力する第２の変調・励振部と、
前記第１の変調・励振部から出力される前記第１の変調信号と、前記第２の変調・励振部から出力される前記第２の変調信号とを入力し、前記第１及び第２の変調信号のうち後段へ出力している変調信号に前記異常信号を検出すると、後段への出力を他の変調信号に切り替える第１の切替部と、
前記第１の切替部から出力される変調信号を増幅し、前記変調信号に前記異常信号が検出される場合と、前記変調信号に前記異常信号が検出されず且つ増幅により得られた第３の変調信号が所定の第２の基準を満たしている場合とには前記第３の変調信号を出力し、前記変調信号に前記異常信号が検出されず且つ前記第３の変調信号が前記第２の基準を満たしていない場合には前記異常信号を前記第３の変調信号に含めて出力する第１の増幅部と、
前記第１の切替部から出力される変調信号を増幅し、前記変調信号に前記異常信号が検出される場合と、前記変調信号に前記異常信号が検出されず且つ増幅により得られた第４の変調信号が前記第２の基準を満たしている場合とには前記第４の変調信号を出力し、前記変調信号に前記異常信号が検出されず且つ前記第４の変調信号が前記第２の基準を満たしていない場合には前記異常信号を前記第４の変調信号に含めて出力する第２の増幅部と、
前記第１の増幅部から出力される前記第３の変調信号と、前記第２の増幅部から出力される前記第４の変調信号とを入力し、前記第３及び第４の変調信号のうち後段の装置へ出力している変調信号に前記異常信号が含まれ且つ前記第１の切替部からの変調信号に前記異常信号が含まれていない場合には後段の装置への出力を前記第３及び第４の変調信号のうちの他方の変調信号に切り替える第２の切替部と、
を備える送信システム。
【発明の詳細な説明】
【技術分野】
【０００１】
本発明の実施形態は、送信システムに関する。
【背景技術】
【０００２】
高い信頼性が要求される放送用送信システムなどでは、現用系と予備系との複数の系統を設けることで冗長性が確保されている。このようなシステムにおいて、現用系の機器と予備系の機器と切替器とを組み合わせた切り替え可能な装置が直列に接続され、前段の装置における機器の異常発生が後段の装置における機器の異常発生に対する因果関係を有する場合、前段の装置において異常が発生すると、後段の装置においても異常が検出される。前段の装置において異常が発生した場合、前段の装置における機器の切り替えが完了するまで、後段の装置においても異常が検出される。
【０００３】
前段の装置における異常が原因で後段の装置において異常が検出される場合には、後段の装置において機器を切り替えても異常が解消されないので、前段の装置における機器の切り替えを待たなければならない。すなわち、後段の装置で異常が検出された場合には、前段の装置で発生した異常が原因でないことを確認した上で、後段の装置における機器の切り替えを行う必要がある。このように、後段の装置における機器の無駄な切り替えを防ぐ一方法として、後段の装置において異常が検出された場合には、前段の装置における機器の切り替えに要する時間を待機時間とし、待機時間が経過した後での後段の装置における異常の有無に基づいて機器の切り替えを行う方法がある。
【０００４】
しかし、前述の方法では、後段の装置において異常が発生した場合、待機時間が経過するまで機器の切り替えが行われないために異常発生状態が継続してしまう場合があった。また、数多くの装置が直列に接続されているシステムでは、最終段の装置において異常が発生すると、異常発生状態が長時間に亘り継続することになり、システムの運用に支障を来す場合があった。
【先行技術文献】
【特許文献】
【０００５】
【特許文献１】特開平１０−２２４４３０号公報
【発明の概要】
【発明が解決しようとする課題】
【０００６】
本発明が解決しようとする課題は、現用系と予備系とを切り替え可能な信号処理装置が接続された送信システムにおいて、信号処理装置で異常が検出された際に切り替えに要する時間を短縮することができる送信システムを提供することである。
【課題を解決するための手段】
【０００７】
実施形態の送信システムは、直列に接続された複数の信号処理装置を持つ。信号処理装置は、複数の信号処理部と、切替部とを持つ。複数の信号処理部は、前段の信号処理装置からの入力信号に対して信号処理を行うことで出力信号を生成し、前段の信号処理装置における基準を満たしていないことを示す異常信号が入力信号に含まれる場合と異常信号が入力信号に含まれず且つ出力信号が自装置における基準を満たす場合とにおいて出力信号を出力し、異常信号が入力信号に含まれず且つ出力信号が基準を満たさない場合とにおいて出力信号に異常を示す異常信号を含めて出力する。切替部は、複数の信号処理部から出力される複数の出力信号を入力し、複数の出力信号のうち後段の信号処理装置へ出力している出力信号が基準を満たさず且つ前段の信号処理装置から出力される信号に異常信号が含まれていない場合には後段の信号処理装置へ出力する信号を他の出力信号に切り替える。
【図面の簡単な説明】
【０００８】
【図１】本実施形態における送信システムの構成例を示すブロック図。
【図２】本実施形態における変調・励振部の構成例を示すブロック図。
【図３】本実施形態における増幅部２２の構成例を示すブロック図。
【図４】比較例における送信システムにおいて、現用系の変調・励振部で異常が発生した場合の切り替え処理を示す図。
【図５】比較例における送信システムにおいて、現用系の増幅部で異常が発生した場合の切り替え処理を示す図。
【図６】比較例の送信システムにおける増幅装置の異常検出時の動作を示すフローチャート。
【図７】本実施形態における送信システムにおいて、現用系の増幅部で異常が発生した場合の切り替え処理を示す図。
【図８】本実施形態における送信システムの増幅装置の異常検出時の動作を示すフローチャート。
【発明を実施するための形態】
【０００９】
以下、実施形態の送信システムを、図面を参照して説明する。図１は、本実施形態における送信システム１の構成例を示すブロック図である。送信システム１は、ＴＳ（Transport Stream）信号を入力して、ＴＳ信号から生成されるＯＦＤＭ信号を送信する。送信システム１は、変調・励振装置１０と、増幅装置２０とを備える。変調・励振装置１０は、送信対象のＴＳ信号を入力し、ＴＳ信号からＵＨＦ帯のＯＦＤＭ信号を生成して出力する。増幅装置２０は、変調・励振装置１０から出力されるＵＨＦ帯のＯＦＤＭ信号を入力し、入力したＯＦＤＭ信号を増幅して出力する。増幅装置２０から出力されるＯＦＤＭ信号は、不図示のアンテナ素子から放射される。変調・励振装置１０は、２つの変調・励振部１１（１１−１、１１−２）と、切替部１２とを備える。増幅装置２０は、分配部２１と、２つの増幅部２２（２２−１、２２−２）と、切替部２３とを備える。
【００１０】
図２は、本実施形態における変調・励振部１１の構成例を示すブロック図である。変調・励振部１１は、異常検出器１５と、変調器１６と、励振器１７と、故障判定器１８とを備える。異常検出器１５は、送信対象の信号としてのＴＳ信号を入力する。異常検出器１５は、ＴＳ信号に第１の異常信号が含まれているか否かを判定する。ここで、第１の異常信号は、ＴＳ信号が所定の基準を満たしていないことを示す信号である。異常検出器１５は、ＴＳ信号に第１の異常信号を検出したか否かの検出結果を故障判定器１８に通知する。異常検出器１５は、入力したＴＳ信号を変調器１６へ出力する。
【００１１】
変調器１６は、ＴＳ信号を入力し、所定の放送方式の規格に準じたＩＦ（Intermediate Frequency）帯のＯＦＤＭ信号に変調する。所定の放送方式は、例えばＩＳＤＢ−Ｔ（Integrated Services Digital Broadcasting for Terrestrial television broadcasting）方式である。変調器１６は、ＩＦ帯のＯＦＤＭ信号を励振器１７へ出力する。励振器１７は、後段の増幅装置２０において生じる非線形歪みを補償するためのプリディストーションをＩＦ帯のＯＦＤＭ信号に対して行った後に、送信周波数帯としてのＵＨＦ帯の周波数へ変換する。励振器１７は、ＵＨＦ帯のＯＦＤＭ信号を故障判定器１８へ出力する。
【００１２】
故障判定器１８は、ＵＨＦ帯のＯＦＤＭ信号が放送方式の規格に準じた信号となっているか否かを判定する。すなわち、故障判定器１８は、放送方式の規格で定められた基準又は仕様を、ＵＨＦ帯のＯＦＤＭ信号が満たしているか否かを判定する。故障判定器１８は、異常検出器１５がＴＳ信号から第１の異常信号を検出した場合と、異常検出器１５がＴＳ信号から第１の異常信号を検出せず且つＵＨＦ帯のＯＦＤＭ信号が基準を満たしている場合とにはＵＨＦ帯のＯＦＤＭ信号を切替部１２へ出力する。故障判定器１８は、異常検出器１５がＴＳ信号から第１の異常信号を検出せず且つＵＨＦ帯のＯＦＤＭ信号が基準を満たしていない場合にはＵＨＦ帯のＯＦＤＭ信号に第２の異常信号を含めて切替部１２へ出力する。ここで、第２の異常信号は、ＵＨＦ帯のＯＦＤＭ信号が放送方式の規格で定められた基準又は仕様を満たしていないことを示す信号である。
【００１３】
また、故障判定器１８は、異常検出器１５がＴＳ信号から第１の異常信号を検出した場合と、異常検出器１５がＴＳ信号から第１の異常信号を検出せず且つＵＨＦ帯のＯＦＤＭ信号が基準を満たしている場合とには、変調・励振部１１において異常が発生していないことを示す正常信号（normal信号）を切替部１２へ出力する。故障判定器１８は、異常検出器１５がＴＳ信号から第１の異常信号を検出せず且つＵＨＦ帯のＯＦＤＭ信号が基準を満たしていない場合には、変調・励振部１１において異常が発生していることを示す警報信号（alarm信号）を切替部１２へ出力する。
【００１４】
図１に戻り、変調・励振装置１０の説明を続ける。切替部１２は、２つの変調・励振部１１−１、１１−２それぞれから、変調・励振部１１−１、１１−２において異常が発生しているか否かを示す信号（正常信号又は警報信号）と、ＵＨＦ帯のＯＦＤＭ信号とを入力する。切替部１２は、現在選択している現用系の変調・励振部１１が出力するＵＨＦ帯のＯＦＤＭ信号を増幅装置２０へ出力する。切替部１２は、現用系の変調・励振部１１から警報信号が出力される場合、予備系の変調・励振部１１を選択し、選択した変調・励振部１１から出力されるＵＨＦ帯のＯＦＤＭ信号を増幅装置２０へ出力する。
【００１５】
例えば、切替部１２が変調・励振部１１−１を現用系として選択している場合において変調・励振部１１−１から警報信号が出力された場合、切替部１２は、予備系としての変調・励振部１１−２を選択し、変調・励振部１１−２から出力されるＵＨＦ帯のＯＦＤＭ信号を増幅装置２０へ出力する切り替え処理を行う。
【００１６】
増幅装置２０において、分配部２１は、変調・励振装置１０から出力されるＵＨＦ帯のＯＦＤＭ信号を入力する。分配部２１は、ＵＨＦ帯のＯＦＤＭ信号を２つの増幅部２２（２２−１、２２−２）それぞれへ出力する。
【００１７】
図３は、本実施形態における増幅部２２の構成例を示すブロック図である。増幅部２２は、異常検出器２５と、増幅器２６と、故障判定器２７とを備える。異常検出器２５は、変調・励振装置１０から入力されるＵＨＦ帯のＯＦＤＭ信号に第２の異常信号が含まれているか否かを判定する。異常検出器２５は、ＵＨＦ帯のＯＦＤＭ信号から第２の異常信号を検出したか否かの検出結果を故障判定器２７へ通知する。異常検出器２５は、入力したＵＨＦ帯のＯＦＤＭ信号を増幅器２６へ出力する。
【００１８】
増幅器２６は、異常検出器２５から入力するＵＨＦ帯のＯＦＤＭ信号を増幅して故障判定器２７へ出力する。増幅器２６は、所定の電力レベルごと複数設けられていてもよい。増幅部２２に複数の増幅器２６が設けられる場合には、出力すべき電力レベルに応じて、複数の増幅器２６からいずれか一つの増幅器２６が選択されるか、複数の増幅器２６が選択されて各増幅器２６から出力される信号が合成される。
【００１９】
故障判定器２７は、増幅器２６から出力されるＵＨＦ帯のＯＦＤＭ信号が放送方式の規格に準じた信号となっているか否かを判定する。すなわち、故障判定器２７は、放送方式の規格で定められた基準又は仕様を、増幅後のＵＨＦ帯のＯＦＤＭ信号が満たしているか否かを判定する。故障判定器２７は、異常検出器２５がＯＦＤＭ信号から第２の異常信号を検出した場合と、異常検出器２５がＯＦＤＭ信号から第２の異常信号を検出せず且つ増幅されたＵＨＦ帯のＯＦＤＭ信号が基準を満たしている場合とには、増幅されたＵＨＦ帯のＯＦＤＭ信号を切替部２３へ出力する。故障判定器２７は、異常検出器２５がＯＦＤＭ信号から第２の異常信号を検出せず且つ増幅されたＵＨＦ帯のＯＦＤＭ信号が基準を満たしていない場合には、増幅されたＵＨＦ帯のＯＦＤＭ信号に第３の異常信号を含めて切替部２３へ出力する。ここで、第３の異常信号は、増幅されたＵＨＦ帯のＯＦＤＭ信号が放送方式の規格で定められた基準又は仕様を満たしていないことを示す信号である。
【００２０】
また、故障判定器２７は、異常検出器２５が増幅前のＵＨＦ帯のＯＦＤＭ信号から第２の異常信号を検出した場合と、異常検出器２５が当該ＯＦＤＭ信号から第２の異常信号を検出せず且つ増幅されたＵＨＦ帯のＯＦＤＭ信号が基準を満たしている場合とには、増幅部２２において異常が発生していないことを示す正常信号を切替部２３へ出力する。故障判定器２７は、異常検出器２５が増幅前のＵＨＦ帯のＯＦＤＭ信号から第２の異常信号を検出せず且つ増幅されたＵＦＨ帯のＯＦＤＭ信号が基準を満たしていない場合には、増幅部２２において異常が発生していることを示す警報信号を切替部２３へ出力する。
【００２１】
図１に戻り、増幅装置２０の説明を続ける。切替部２３は、２つの増幅部２２−１、２２−２それぞれから、増幅部２２−１、２２−２において異常が発生しているか否かを示す信号（正常信号又は警報信号）と、所定の電力レベルへ増幅されたＵＨＦ帯のＯＦＤＭ信号とを入力する。切替部２３は、現在選択している現用系の増幅部２２が出力するＵＨＦ帯のＯＦＤＭ信号をアンテナ素子へ出力して、ＵＨＦ帯のＯＦＤＭ信号をアンテナ素子から無線信号として放射させる。切替部２３は、現用系の増幅部２２から警報信号が出力される場合、予備系の増幅部２２を選択し、選択した増幅部２２から出力されるＵＨＦ帯のＯＦＤＭ信号をアンテナ素子へ出力する。
【００２２】
例えば、切替部２３が増幅部２２−２を現用系として選択している場合において、増幅部２２−２から警報信号が出力された場合、切替部２３は、予備系としての増幅部２２−１を選択し、増幅部２２−１から出力されるＵＨＦ帯のＯＦＤＭ信号をアンテナ素子へ出力する切り替え処理を行う。
【００２３】
本実施形態の送信システム１では、２つの増幅部２２−１、２２−２それぞれが変調・励振装置１０から出力されるＵＨＦ帯のＯＦＤＭ信号に第２の異常信号が含まれているか否かを判定する。増幅部２２−１、２２−２は、自身が出力するＵＨＦ帯のＯＦＤＭ信号が基準を満たしていない場合であっても、第２の異常信号を検出したときには警報信号を切替部２３へ出力しない。これにより、切替部２３は、増幅部２２−１、２２−２から入力されるＵＨＦ帯のＯＦＤＭ信号が基準を満たしていない場合であっても、変調・励振装置１０において異常が発生しているときには、切り替え処理を行わないので無駄な切り替えが発生しない。また、切替部２３は、増幅部２２から警報信号が出力される場合には、前段の装置である変調・励振装置１０における異常の有無にかかわらず、速やかに切り替え処理を行うことにより、信号処理装置としての増幅装置２０で異常が検出された際の予備系への切り替えに要する時間を短縮することができ、基準を満たさないＯＦＤＭ信号が送信されてしまう時間を短縮することができる。
【００２４】
また、変調・励振装置１０においても、増幅装置２０と同様に、出力するＵＨＦ帯のＯＦＤＭ信号が基準を満たしていない場合であっても、ＴＳ信号を出力する前段の装置において異常が発生していることを示す第１の異常信号を検出したときには、切替部１２が切り替え処理を行わないので無駄な切り替えが発生しない。また、切替部１２は、変調・励振部１１から警報信号が出力される場合には、ＴＳ信号を出力する前段の装置における異常の有無にかかわらず、速やかに切り替え処理を行うことにより、信号処理装置としての変調・励振装置１０で異常が検出された際の予備系への切り替えに要する時間を短縮することができ、基準を満たさないＯＦＤＭ信号が送信されてしまう時間を短縮することができる。
【００２５】
ここで、本実施形態における送信システム１と同様に、現用系と予備系とを備える変調・励振装置及び増幅装置からなる送信システムの動作を比較例として説明する。比較例における送信システムは、前段の変調・励振装置における切り替えに要する待機時間が経過してから後段の増幅装置における異常の有無を判定して切り替え処理を行う。図４は、比較例における送信システムにおいて、現用系の変調・励振部で異常が発生した場合の切り替え処理を示す図である。図４には、現用系及び予備系の変調・励振部＃１、＃２における異常の有無（alarm/normal）と、変調・励振装置の切替部がいずれの変調・励振部を選択しているか（＃１／＃２）と、現用系及び予備系の増幅部＃１、＃２における異常の有無（alarm/normal）と、増幅装置の切替部がいずれの増幅部を選択しているか（＃１／＃２）とが示されている。
【００２６】
時刻ｔ１において、現用系の変調・励振部＃１において異常が発生して検出されると、検出された異常が変調・励振装置の切替部に通知される。時刻ｔ２において、異常の通知に応じて、切替部が現用系の変調・励振部＃１から予備系の変調・励振部＃２へ切り替える。このとき、時刻ｔ１から時刻ｔ２までに亘り、増幅装置における増幅部＃１、＃２では、変調・励振部＃１で発生した異常を原因とした異常が検出される。時刻ｔ２以降では、変調・励振装置の切替部が、変調・励振部＃２を選択する切り替え処理を行ったことにより、異常は検出されなくなる。変調・励振装置における切り替え処理では、時間ｔｔｒａｎｓ（＝ｔ２−ｔ１）を要している。
【００２７】
図５は、比較例における送信システムにおいて、現用系の増幅部で異常が発生した場合の切り替え処理を示す図である。図５には、図４と同様に、現用系及び予備系の変調・励振部＃１、＃２における異常の有無（alarm/normal）と、変調・励振装置の切替部がいずれの変調・励振部を選択しているか（＃１／＃２）と、現用系及び予備系の増幅部＃１、＃２における異常の有無（alarm/normal）と、増幅装置の切替部がいずれの増幅部を選択しているか（＃１／＃２）とが示されている。
【００２８】
時刻ｔ１において、現用系の増幅部＃１において異常が発生して検出されると、当該異常が前段の装置である変調・励振装置における異常である可能性を考慮して、増幅装置の切替部は、変調・励振装置における切り替え処理に要する時間ｔｔｒａｎｓ（待機時間）の経過を待つ。待機時間が経過した時刻ｔ２において、増幅部＃１から異常の通知が継続している場合には、自装置における異常の発生と判定する。時刻ｔ３において、継続する異常の通知に応じて、増幅装置の切替部が現用系の増幅部＃１から予備系の増幅部＃２へ切り替える。
【００２９】
図６は、比較例の送信システムにおける増幅装置の異常検出時の動作を示すフローチャートである。増幅装置は、増幅部＃１又は＃２において異常の発生を検出すると（ステップＳ９１）、前段の変調・励振装置における切り替え処理に要する時間をマスク時間として異常の通知をマスクする（ステップＳ９２）。マスク時間が経過した後に現用系の増幅部から異常の通知が継続しているか否かを判定する（ステップＳ９３）。異常の通知が継続している場合（ステップＳ９３：ＹＥＳ）、予備系の増幅部へ切り替え（ステップＳ９４）、動作を終了する。異常の通知が継続していない場合（ステップＳ９３：ＮＯ）、前段の装置における異常と判断して動作を終了する。
【００３０】
比較例の送信システムでは、異常を検出した場合には後段の装置は、前段の装置における切り替え処理に要する時間を待機時間（マスク時間）として待機して、無駄な切り替え処理が行われないようにしている。しかしながら、後段の装置において異常が発生した場合、前段の装置において異常が発生して切り替え処理が行われるまでの時間より、切り替え処理が行われるまでの時間が長くなり、異常が発生している状況の継続期間が長くなってしまうという問題があった。
【００３１】
図７は、本実施形態における送信システム１において、現用系の増幅部２２−１で異常が発生した場合の切り替え処理を示す図である。図７には、図４と同様に、現用系及び予備系の変調・励振部１１−１、１１−２における異常の有無（alarm/normal）と、変調・励振装置１０の切替部１２がいずれの変調・励振部を選択しているか（１１−１/１１−２）と、現用系及び予備系の増幅部２２−１、２２−２における異常の有無（alarm/normal）と、増幅装置２０の切替部２３がいずれの増幅部を選択しているか（２２−１/２２−２）とが示されている。
【００３２】
時刻ｔ１において、現用系の増幅部２２−１において異常が発生すると、前段の装置である変調・励振装置１０における異常の有無をＵＨＦ帯のＯＦＤＭ信号に第２の異常信号が含まれているか否かに基づいて判定し、前段の装置で異常がしていないので増幅部２２−１は即時に警告信号を切替部２３へ出力する。時刻ｔ２において、増幅部２２−１からの警告信号に応じて、切替部２３が現用系の増幅部２２−１から予備系の増幅部２２−２へ切り替える切り替え処理を行う。
【００３３】
図８は、本実施形態における送信システム１の増幅装置２０の異常検出時の動作を示すフローチャートである。増幅装置２０では、増幅部２２−１又は２２−２が異常の発生を検出すると（ステップＳ１１）、前段の変調・励振装置１０における異常の発生の有無を、前段から入力したＵＨＦ帯のＯＦＭＤ信号に第２の異常信号が含まれるか否かにより判定する（ステップＳ１２）。前段の変調・励振装置１０において異常が発生していない場合（ステップＳ１２：ＮＯ）、切替部２３は、現在選択している現用系の増幅部２２から予備系の増幅部２２への切り替えを行い（ステップＳ１３）、動作を終了する。前段の変調・励振装置１０において異常が発生している場合（ステップＳ１２：ＹＥＳ）、検出された異常は変調・励振装置１０における異常を原因とする異常であると判定して動作を終了する。
【００３４】
このように、本実施形態における送信システム１では、前段の装置における異常の有無が前段の装置から入力する信号に異常信号が含まれているか否かに基づいて判定できるので、自装置における信号処理により得られた信号が基準を満たさない異常が発生している場合において、自装置の故障などが原因で異常が発生しているのか、前段の装置で発生している異常が原因で異常が発生しているのかを区別することができる。これにより、自装置の故障などが原因で異常が発生している場合には即時に切り替え処理を行うことができ、基準を満たさない信号が送信されてしまう時間を短縮することができる。
【００３５】
なお、本実施形態では、送信システム１が増幅装置２０を一つ備える構成例を説明した。しかし、送信システムは、複数の増幅装置２０を備える構成であってもよい。この場合、変調・励振装置１０は、複数の増幅装置２０それぞれへＵＨＦ帯のＯＦＭＤ信号を出力する。また、送信システム１において、変調・励振装置１０と増幅装置２０とを離れた位置に配置してもよい。例えば、ＴＳ信号を生成する装置、例えば演奏所に変調・励振装置１０を配置し、送信設備に増幅装置２０を配置してもよい。この場合には、変調・励振装置１０と増幅装置２０との間の信号の伝送には光伝送を用いてもよい。更に、ＵＨＦ帯への励振（周波数変換）を増幅装置２０側で行うようにしてもよい。また、送信システム１は、変調・励振装置１０及び増幅装置２０に加えて、直列に接続される他の装置を備えてもよい。
【００３６】
また、各装置において出力する信号に含める異常信号が示す異常の種類を増やすことにより、複数の前段の装置がある場合にはいずれの前段の装置において異常が発生しているかを把握できるようにしてもよい。あるいは、前段の装置における異常の有無だけでなく、どのような異常が発生しているかを異常信号で識別できるようにしてもよい。この場合、前段の装置における異常を原因として自装置において発生する異常と、前段の装置における異常を原因とせずに自装置において発生する異常とを把握できるようにしてもよい。
【００３７】
例えば、前段の装置における異常と自装置における異常との因果関係を示すテーブルを備えることで、前段の装置で異常が発生し且つ自装置で異常が検出された場合に、自装置で検出された異常と前段の装置の異常との因果関係が存在するか否かを判定できるようにしてもよい。前段の装置において異常が発生し且つ自装置において異常が検出された場合に、それぞれの異常に因果関係が存在しないときには、自装置における切り替え処理を実行するようにしてもよい。これにより、前段の装置と自装置とにおいて異常が同時期に発生したとしても、速やかに切り替え処理を行うことができる。
【００３８】
以上説明した少なくともひとつの実施形態によれば、前段の変調・励振装置から入力する信号に、前段における異常の有無を示す信号が含まれるか否かを判定する構成を持つことにより、増幅装置における出力信号が所定の基準を満たしていない異常が検出された場合に、前段の変調・励振装置を原因とする異常であるのか、増幅装置における異常であるのかを区別することができ、増幅装置で異常が検出された際に切り替えに要する時間を短縮することができる。
【００３９】
本発明のいくつかの実施形態を説明したが、これらの実施形態は、例として提示したものであり、発明の範囲を限定することは意図していない。これら実施形態は、その他の様々な形態で実施されることが可能であり、発明の要旨を逸脱しない範囲で、種々の省略、置き換え、変更を行うことができる。これら実施形態やその変形は、発明の範囲や要旨に含まれると同様に、特許請求の範囲に記載された発明とその均等の範囲に含まれるものである。
【符号の説明】
【００４０】
１…送信システム、１０…変調・励振装置、１１，１１−１，１１−２…変調・励振部、１２…切替部、１５…異常検出器、１６…変調器、１７…励振器、１８…故障判定器、２０…増幅装置、２１…分配部、２２，２２−１，２２−２…増幅部、２３…切替部、２５…異常検出器、２６…増幅器、２７…故障判定器
【図１】
2017147503.tif 000003
【図２】
2017147503.tif 000004
【図３】
2017147503.tif 000005
【図４】
2017147503.tif 000006
【図５】
2017147503.tif 000007
【図６】
2017147503.tif 000008
【図７】
2017147503.tif 000009
【図８】
2017147503.tif 000010